(57)【特許請求の範囲】
【請求項１】
増幅回路（1a）を収納した増幅用筐体（１）には、増幅回路（1a）に接続されている信号入力端子（11）と、増幅回路（1a）に接続されている信号出力兼電源入力端子（12）とを備えさせ、
電源回路（2a）を収納した電源用筐体（２）には、
上記増幅用筐体（１）における信号入力端子（11）に対して着脱自在にした信号出力端子（24）と、上記増幅用筐体（１）における信号出力兼電源入力端子（12）に対して着脱自在にした信号入力兼電源出力端子（25）とを備えさせ、
上記増幅用筐体（１）と、上記電源用筐体（２）とを、上記増幅用筐体（１）の信号入力端子（11）と上記電源用筐体（２）の信号出力端子（24）及び
上記増幅用筐体（１）の信号出力兼電源入力端子（12）と上記電源用筐体（２）の信号入力兼電源出力端子（25）とを着脱自在の接離を可能にして、
上記増幅用筐体（１）と、上記電源用筐体（２）との一体的な接合と分離を可能に構成した電源部分離型ブースタ装置において、
上記電源用筐体（２）には、さらに第２の信号入力兼電源出力端子（21）と、第２の信号出力端子（22）とを備えさせ、
上記電源用筐体（２）には、上記増幅用筐体（１）と上記電源用筐体（２）とを一体に接合したとき、相互に接続される上記信号入力兼電源出力端子（25）と信号出力兼電源入力端子（12）を通して、上記増幅回路（1a）に電力を供給することができるように、信号入力兼電源出力端子（25）に接続された電源回路（2a）を備えさせ、
上記電源用筐体（２）の内においては、上記信号出力端子（24）と第２の信号入力兼電源出力端子（21）とを高周波信号の通過を可能に接続する第１内部配線31及び上記信号入力兼電源出力端子（25）と第２の信号出力端子（22）とを高周波信号の通過を可能に接続する第２内部配線34を備えさせ、
上記第１内部配線と上記第２内部配線との間は、上記電源用筐体（２）と上記増幅用筐体（１）とを分離した状態において上記第１内部配線と上記第２内部配線との間を、第２の信号入力兼電源出力端子（21）から第２の信号出力端子（22）に向けての高周波信号と、上記電源回路（2a）から上記第２の信号入力兼電源出力端子（21）に向けての電力の通過を可能に切替スイッチ機構を介して接続して、
上記電源用筐体（２）から分離した状態の上記増幅用筐体（１）における信号入力端子（11）に入力された信号を増幅して信号出力兼電源入力端子（12）から第２の信号入力兼電源出力端子（21）に対して、それらの間に配設されるケーブル（５）を通して高周波信号が送れる状態においては、上記電源回路（2a）からの電力を上記増幅用筐体（１）の信号出力兼電源入力端子（12）を介して上記増幅回路（1a）に供給できるようにしてあることを特徴とする電源部分離型ブースタ装置。
【請求項２】
前記切替スイッチ機構は、上記電源用筐体（２）と上記増幅用筐体（１）とを接合したときに該切替スイッチ機構内の共通接点をアースに接続する手段を備えることを特徴とする請求項１記載の電源部分離型ブースタ装置。
【請求項３】
上記増幅用筐体（１）の信号入力端子（11）および信号出力兼電源入力端子（12）を凸部形状または凹部形状に形成し、
該凸部形状または凹部形状に嵌合すると共に電気接続端子の機能を持った凹部形状または凸部形状の信号出力端子（24）と信号入力兼電源出力端子（25）とを上記電源用筐体（２）に形成し、
上記増幅用筐体（１）の凸部形状または凹部形状の端子と、上記電源用筐体（２）の凹部形状または凸部形状の端子とを嵌合させることで両者を機構的に一体に接合すると同時に電気的にも接続する構成としたことを特徴とする請求項１または請求項２記載の電源部分離型ブースタ装置。
【発明の詳細な説明】
【０００１】
【発明の属する技術分野】
本発明はアンテナで受信したテレビ信号等を増幅してから受信機に供給するブースタ装置に係り、特に、受信信号を増幅する増幅部とブースター装置の電源部とを着脱自在に分離できる構成とし、両者を一体型にして使用することも両者を分離して使用することも可能な電源部分離型ブースタ装置に関する。
【０００２】
【従来の技術】
アンテナで受信したテレビ信号を増幅するブースタ装置を、機構的に電源部と増幅部とに分離可能にし、両者を一体にして使用することも、両者を分離して使用することもできるようにした従来技術として、実開昭５７‐３１８８５号，実開昭５７‐５３６９５号，実開昭５７‐２７４１号などがある。
【０００３】
これらの従来技術では、電源回路を収納した筐体（これを電源部ともいう）と、増幅回路を収納した筐体（これを増幅部ともいう）とを、着脱可能な構造とし、ブースタ装置全体を屋内に設置するときは両筐体を接合して一体型にし、増幅部を屋外に設置するときは、両筐体を分離し、増幅部を屋外のアンテナ近辺に取り付けると共に電源部を屋内に設置し、両者間をケーブルにより接続するようにしている。
【０００４】
【発明が解決しようとする課題】
上述した従来技術は、２つの筐体間の接合・分離の機構的な構造に関するのみであり、電源部と増幅部との電気的な接続については給電線で行うという程度の記載しかない。このため、一体型にして屋内で使用する場合、両筐体を機構的に接合しても、これとは別に、電源部と増幅部とを電気的に接続するために渡し配線作業が必要となる。しかも、この電気配線が筐体外部に露出すると、美観を損ねるという問題もある。
【０００５】
更に、一体型にして電気配線を施すとき、慎重に作業を行わないと、テレビ信号の増幅された高周波信号が増幅部の入力側に帰還するパスができて増幅部が発振してしまい、安定な動作が期待できないという問題がある。ブースタ装置の増幅部を屋外に設置する場合は、電気的知識を持たない一般ユーザが自分でアンテナ近くに設置するということは稀であるが、一体型で使用するブースタ装置を屋内に設置する場合は一般ユーザが自分で設置する場合が多く、斯かる場合にも、メーカーは、安定な動作を保証するブースタ装置を提供する必要がある。
【０００６】
本発明の目的は、電気配線を外部に露出することなく電源部と増幅部の電気的、機構的結合が行え、かつ美観を損ねることのない電源部分離型ブースタ装置を提供することにある。
本発明の他の目的は、安定な動作を行う電源部分離型ブースタ装置を提供することにある。
本発明の他の目的は、一体型で使用するときの渡し配線作業を不要とする電源部分離型ブースタ装置を提供することにある。
【０００７】
【課題を解決するための手段】
上記目的を達成するために本発明にあっては、増幅回路1aを収納した増幅用筐体１には、信号入力端子11と、信号出力兼電源入力端子12とを備えさせ、
電源回路2aを収納した電源用筐体２には、
上記増幅用筐体１における信号入力端子11に対して着脱自在にした信号出力端子24と、上記増幅用筐体１における信号出力兼電源入力端子12に対して着脱自在にした信号入力兼電源出力端子25とを備えさせ、
上記増幅用筐体１と、上記電源用筐体２とを、上記増幅用筐体１の信号入力端子11と上記電源用筐体２の信号出力端子24及び
上記増幅用筐体１の信号出力兼電源入力端子12と上記電源用筐体２の信号入力兼電源出力端子25とを着脱自在に接離させることによって、両者の一体的な接合と分離を可能に構成した電源部分離型ブースタ装置において、
上記電源用筐体２には、さらに第２の信号入力兼電源出力端子21と、第２の信号出力端子22とを備えさせ、
上記電源用筐体２には、上記増幅用筐体１と上記電源用筐体２とを一体に接合したとき、相互に接続される上記信号入力兼電源出力端子25と信号出力兼電源入力端子12を通して、上記増幅回路1aに電力を供給することができるように、信号入力兼電源出力端子25に接続された電源回路2aを備えさせ、
上記電源用筐体２の内においては、上記信号出力端子24と第２の信号入力兼電源出力端子21とを高周波信号の通過を可能に接続する第１内部配線31及び上記信号入力兼電源出力端子25と第２の信号出力端子22とを高周波信号の通過を可能に接続する第２内部配線34を備えさせ、
上記第１内部配線と上記第２内部配線との間は、上記電源用筐体２と上記増幅用筐体１とを分離した状態において上記第１内部配線と上記第２内部配線との間を、第２の信号入力兼電源出力端子21から第２の信号出力端子22に向けての高周波信号と、上記電源回路2aから上記第２の信号入力兼電源出力端子21に向けての電力の通過を可能に切替スイッチ機構を介して接続して、
上記電源用筐体２から分離した状態の上記増幅用筐体１における信号入力端子11に入力された信号を増幅して信号出力兼電源入力端子12から第２の信号入力兼電源出力端子21に対して、それらの間に配設されるケーブル５を通して高周波信号が送れる状態においては、上記電源回路2aからの電力を上記増幅用筐体１の信号出力兼電源入力端子12を介して上記増幅回路1aに供給できるようにしてある。
【０００８】
また好ましくは、前記切替スイッチ機構は、上記電源用筐体２と上記増幅用筐体１とを接合したときに該切替スイッチ機構内の共通接点をアースに接続する手段を備えさせるとよい。
【０００９】
また好ましくは、上記増幅用筐体１の信号入力端子11および信号出力兼電源入力端子12を凸部形状または凹部形状に形成し、
該凸部形状または凹部形状に嵌合すると共に電気接続端子の機能を持った凹部形状または凸部形状の信号出力端子24と信号入力兼電源出力端子25とを上記電源用筐体２に形成し、
上記増幅用筐体１の凸部形状または凹部形状の端子と、上記電源用筐体２の凹部形状または凸部形状の端子とを嵌合させることで両者を機構的に一体に接合すると同時に電気的にも接続する構成にするとよい。
【００１０】
【発明の実施の形態】
以下、本発明の一実施形態を図面を参照して説明する。
図１は、本発明の一実施形態に係る電源部分離型ブースタ装置を分離して使用する場合の構成図であり、図２は図１に示す電源部分離型ブースタ装置を一体に接合して使用する場合の構成図である。
【００１１】
両図において、通常知られている構成の増幅回路１ａを内蔵する増幅部１（増幅回路1aを収納した増幅用筐体１ともいう）と、通常知られている構成の電源回路２ａを内蔵する電源部２（電源回路2aを収納した電源用筐体２ともいう）とは、分離可能な構造となっている。増幅部１の筺体１ｂには、信号入力端子としての凸部１１と、信号出力兼電源入力端子としての凸部１２が設けられている。電源部２の筺体２ｂにも、第２の信号入力兼電源出力端子の凸部２１と、第２の信号出力端子の凸部２２とが設けられている。更に、電源部２には、増幅部１と機構的に接合する面２３に、増幅部１の凸部１１，１２と夫々嵌合する凹部２４，２５が設けられている。
【００１２】
この電源部２の増幅部１と接合する面２３の四周には切欠状の段部が形成され、そこには化粧カバー２６が押釦スイッチ４０、凹部２４，２５を保護する被せ付け状態で嵌合させてある。なお、カバーに代えて、壁２６を立設し、面２３と四周の壁２６とで構成される凹状空間に、増幅部１の底側の一部が埋込状挿入される構成にしてもよい。この壁２６は、凹部２４，２５と後述する押釦スイッチ４０とを保護する機能を果たすと共に、美観を良くするための化粧カバーの機能も果たす。尚、図中の４２は、電源部２の動作確認用パイロットランプ（ＬＥＤ）の存在を示すものである。
【００１３】
凸部１１，１２，２１，２２と、凹部２４，２５は、すべて電気端子としても機能しており、凸部と凹部とが機構的に嵌合したり、あるいは凸部にケーブル等が機構的に接続されると、同時に電気的にも接続される構成となっている。凸部１１，１２，２１，２２はすべて同様の構造となっており、凹部２４，２５も対応させて同様の構造になっている。
【００１４】
図３は、凸部１１と、凹部２４の断面図である。増幅部１に突設される凸部１１およびこれに嵌合する電源部２の凹部２４は、共に周知のアンテナ接続用のコネクタに係わる技術で構成される。凸部１１は、増幅部１の筐体１ｂに固定された金属製の円柱状支持部材１１ａを有する。この支持部材１１ａの外周部にはネジ１１ｂが螺刻されており、この凸部１１にアンテナ３に連なる同軸ケーブル４等の周知のコネクタを着脱自在に接続するときはこのネジ１１ｂを利用してケーブルを固定することになる。１１ｇは周知のように筺体内（又は外部）にて凸部１１を筺体に着脱自在に止着する部材（ナット或はかしめ部材）の存在を示す。
【００１５】
円柱状支持部材１１ａの内部には、合成樹脂製の電気絶縁材１１ｃが収納され、その内部空間１１ｄ内に、２枚の板バネ状の電気接続端子１１ｅが対向して収納固定されており、支持部材１１ａ及び電気絶縁材１１ｃの開口端１１ｆから挿入された棒状の接続端子を両電気接続端子１１ｅで挟むことで、電気的な接続がなされる。
【００１６】
信号出力端子である凹部２４は、電源部２の筐体２ｂに対し、周知のように前述のナット等を用いて着脱自在に固定された金属製の円筒状支持部材２４ａを有する。この円筒状支持部材２４ａの内側２４ｃは、丁度、凸部１１の円柱状支持部材１１ａが内部にピッタリ嵌合する大きさとなっており、支持部材１１ａのネジ１１ｂを利用しなくても支持部材１１ａを固定できる。円筒状支持部材２４ａ内には、前述した板バネ状の電気接続端子１１ｅに挟まれる棒状の接続端子２４ｂが設けられている。この接続端子２４ｂは、円筒状支持部材２４ａ内に固定された合成樹脂製の電気絶縁材２４ｃを貫通する様に設けられ、周囲の金属から絶縁されている。
【００１７】
このように、凸部１１，１２，２１，２２と凹部２４，２５が、夫々電気端子としても機能する構成としたため、ブースタ装置を分離して使用する場合には、図１に示すように、アンテナ３を増幅部１の信号入力用の凸部１１に対し、ケーブル４の先端に付されるコネクタを利用して接続し、増幅部１の信号出力用の凸部１２を電源部２の信号入力用の凸部２１に対してケーブル５及びそれの両端に付されている周知のコネクタを用いて接続し、電源部２の信号出力用の凸部２２を、図示しないテレビなどの受像機に接続すれば済む。
【００１８】
また、ブースタ装置を一体型にして使用する場合には、図２に示す様に、増幅部１の凸部１１，１２と電源部２の凹部２４，２５とを嵌合させ、アンテナ３を電源部２の信号入力用の凸部２１に対し、周知コネクタ付のケーブル６を用いて接続し、信号出力用の凸部２２をテレビ等の受像機に接続すれば済むようになっている。尚、以下、凸部１１，１２，２１，２２、凹部２４，２５と言う代わりに、電気端子１１，１２，２１，２２，２４，２５とも言う。
【００１９】
上述した様に、本実施形態に係るブースタ装置は、これを図２に示す如く一体型にして使用する場合、単に増幅部１を電源部２に機構的に接合すれば電気的接続について配慮しなくてもよい構成にしてあるが、それは、電源部２内に、切替スイッチ機構を設けているためである。以下、この切替スイッチ機構について詳述する。
【００２０】
電源部２の内部においては、前記増幅部１と前記電源部２とを一体に接合したとき前記電源部２の信号入力端子２１と前記増幅部１の信号入力端子１１とを電気的に接続する第１内部配線３１および前記電源部２の信号出力端子２２と前記増幅部１の信号出力兼電源入力端子１２とを電気的に接続する第２内部配線３４とを備えさせた。例えば、図１に示されるように電気端子２４は、電気端子２１に対して配線３１により直接接続されている。電源接続点３２と電気端子２２との間には電源カットコンデンサ３３が接続され、電源接続点３２と電気端子２５とは配線３４により接続されている。電源回路２ａには商用電源に接続されるプラグ３６を通して１００Ｖが供給され、電源回路２ａは、ＤＣ１５ＶまたはＡＣ２４Ｖを生成して出力する。この電源回路２ａの出力は、チョークコイル３７を介して電源接続点３２に出力される。
【００２１】
切替スイッチ機構として例示するスイッチ回路３８は、配線３１に接続された接点３８ａと、アースに接続された接点３８ｂと、共通接点３８ｃとを備える。スイッチ回路３９は、配線３４に接続された接点３９ａと、アースに接続された接点３９ｂと、共通接点３９ｃとを備える。そして、両スイッチ回路３８，３９の共通接点３８ｃ，３９ｃ同士が共通に接続されている。共通接点３８ｃは接点３８ａまたは接点３８ｂに切替接続され、共通接点３９ｃは接点３９ａまたは接点３９ｂに切替接続されるが、この共通接点３８ｃ，３９ｃの切替は、連動的、順位的に行われ、駆動は機械的に或は磁力を用いたりして行われる。
【００２２】
共通接点３８ｃ，３９ｃの切替を行うのは、電源部２の増幅部１に接合する面２３に突設された被動物としての押釦スイッチ４０であり、この押釦スイッチ４０は図示しない弾発バネにより面２３から突出する方向に付勢されており、突出した状態では、共通接点３８ｃ（３９ｃ）は接点３８ａ（３９ａ）と接続されているが、任意の手動又は増幅用筺体１ｂによって押釦スイッチ４０が弾発バネに抗して押し込まれると、共通接点３８ｃ（３９ｃ）は、接点３８ｂ（３９ｂ）に切替接続され、アースに接続される。なお共通接点３８ｃ（３９ｃ）の駆動は、手動によるスライドスイッチの進退動等であってもよい。
【００２３】
上述した構成の切替スイッチ機構を備える電源部分離型ブースタを図１に示す様に分離して使用した場合には、電源部２の電源回路２ａの出力電力は、チョークコイル３７を通して電源接続点３２に供給されるが、電源カットコンデンサ３３により、電気端子２２からテレビ受像機側には流れない。電源接続点３２に供給された電力は、配線３４→切替接点３９ａ→共通接点３９ｃ→共通接点３８ｃ→切替接点３８ａ→配線３１→電源出力端子としての電気端子２１→ケーブル５と流れ、電気端子１２から周知の電力供給回路、例えばダイオードとチョークコイルの直列回路（図示外）等を通して増幅部１に供給される。
【００２４】
アンテナ３で受信された信号は、信号入力端子としての電気端子１１から増幅部１内に入り、増幅回路１ａにより増幅された後、前述した経路とは逆の経路を辿って、電源接続点３２に至る。しかし、この信号は高周波信号であるためチョークコイル３７には流れず、電源カットコンデンサ３３を通り、信号出力端子としての電気端子２２からテレビ受像機に入力される。
【００２５】
電源部分離型ブースタ装置を一体にして使用した場合には、図２に示す様に、電源部２の電源回路２ａから出力される電力は、チョークコイル３７→電源接続点３２→配線３４と流れ、嵌合状態により一体になっている電源出力端子としての電気端子２５から直接電気端子１２に入り、増幅部１に供給される。
【００２６】
アンテナ３で受信された信号は、ケーブル６を通して上記電源出力端子を兼ねる信号入力用端子としての電気端子２１に入り、配線３１を通り、嵌合状態により一体になっている電気端子２４及び電気端子１１を通って増幅部１に入力され、増幅回路１ａで増幅される。そして、増幅された信号は嵌合状態で一体になっている電気端子１２及び上記電源出力端子を兼ねる信号入力用端子としての電気端子２５を通り、配線３４から電源カットコンデンサ３３を通して電気端子２２に流れ、テレビ受像機に入力される。
【００２７】
このとき、共通端子３８ｃ，３９ｃは共にアースに接続された端子３８ｂ，３９ｂに切替接続されているので、共通端子３８ｃと共通端子３９ｃとを接続する線路を介して増幅信号が増幅回路１ａの入力側に戻ることはなく、これに起因する増幅回路１ａの発振を回避でき、安定な動作が保証される。
【００２８】
以上述べた実施形態では、機構的嵌合と電気的な接続を同時に行う部材として、増幅部１に凸部１１，１２を設け、電源部２に凹部２４，２５を設けたが、勿論、増幅部１側に凹部を設け、電源部２側に凸部を設ける構成とすることも可能である。
【００２９】
【発明の効果】
本発明によれば、増幅用筐体１と、電源用筐体２とを接合して使用する場合には、信号入力端子11と信号出力端子24が、また信号出力兼電源入力端子12と信号入力兼電源出力端子25が夫々接続され、増幅用筐体１から電源用筐体２に向けての高周波信号経路と、電源用筐体２から増幅用筐体１に向けての増幅回路1a作動用の電力の経路が、増幅用筐体１と、電源用筐体２との接合部分にできるものであるから、増幅用筐体１と、電源用筐体２との間には外部に露出する渡し配線を不要とする特長があり、外部に配線が露出せずに美観が保たれる効果がある。更に、
【００３０】
例えば増幅用筐体１を屋外のアンテナ３の近くにおいて増幅機能を作動させたいときに、増幅用筐体１と、電源用筐体２とを分離すると、信号入力兼電源出力端子25と信号出力兼電源入力端子12との接続は遮断される（電源用筐体２から増幅用筐体１に向けての増幅回路1a作動用の電力の経路は遮断される）のであるがしかし、本発明にあっては、上記電源用筐体２内の切替スイッチ機構の働きにより、電源回路2aからの電力は第２の信号入力兼電源出力端子21に向い、そこから、上記増幅用筐体１の信号出力兼電源入力端子12から第２の信号入力兼電源出力端子21に対して高周波信号を送る為のケーブル５を通って、上記増幅用筐体１の信号出力兼電源入力端子12に至り、上記増幅回路1aに対して電力を供給できるようにしてあるから、分離した後の増幅用筐体１における増幅回路1aに対して別途の電源を用意しなくても、増幅用筐体１における増幅回路1aを、上記電源用筐体２における電源回路2aを活用して作動させることができる経済効果がある。
【００３１】
しかも、電源用筐体２における端子と、増幅用筐体１における端子には、夫々第２の信号入力兼電源出力端子21と、信号出力兼電源入力端子12が備えられているので、電源用筐体２から増幅用筐体１に向けての電力の供給は、上記高周波信号伝送用の１本のケーブル５を兼用して伝送することができ、余分なケーブルを不要とする経済的効果がある。
【００３２】
更に、一体型にしたときに切替スイッチ機構をアースに接続する場合には、増幅部で増幅された信号が増幅部の入力側に帰還することがなく、ブースタ装置の動作が安定する。また、
【００３３】
機構的な接合を行う凸部，凹部に電気接続端子機能を持たせたため、機構的接合と電気的な接続を同時にワンタッチで行うことが可能となる。
【図面の簡単な説明】
【図１】  本発明の一実施形態に係る電源部分離型ブースタ装置を分離して使用する場合の接続図である。
【図２】  図１に示す電源部分離型ブースタ装置を一体型にして使用する場合の接続図である。
【図３】  図１に示す凸部と凹部の断面図である。
【符号の説明】
１…増幅部、１ａ…増幅回路、２…電源部、２ａ…電源回路、３…アンテナ、４，５，６…ケーブル、１１…凸部（増幅部の信号入力端子）、１２…凸部（増幅部の信号出力兼電源入力端子）、、２１…凸部（電源部の第２の信号入力兼電源出力端子）、２２…凸部（電源部の第２の信号出力端子）、２３…接合面、２４…凹部（電源部の信号出力端子）、２５…凹部（電源部の信号入力兼電源出力端子）、２６…壁（化粧カバー）、３１…第１内部配線、３４…第２内部配線、３３…電源カットコンデンサ、３７…チョークコイル、３８，３９…スイッチ、３８ａ，３９ａ…切替接点、３８ｂ，３９ｂ…アースに接続された切替接点、３８ｃ，３９ｃ…共通接点、４０…押釦スイッチ。
【図１】
0004101413.tif 000002
【図２】
0004101413.tif 000003
【図３】
0004101413.tif 000004